【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
第１の通信ネットワーク要素であって、
第１の通信リンク及び第２の通信リンク双方を介して少なくとも１つの第２の通信ネットワーク要素に対して、少なくとも１つのタイミングデータパケットを送信する送信部と、
前記第２の通信リンクを介して前記少なくとも１つの第２の通信ネットワーク要素から、２つのタイミングデータパケットを受信する受信部であって、前記２つのタイミングデータパケットの内の少なくとも１つは前記第１の通信リンクを介して送信されたタイミングデータパケットに対応している、受信部と、
前記送信部及び受信部に動作可能に結合された信号処理部と
を有し、前記信号処理部は、前記第２の通信リンクを介して受信した前記２つのタイミングデータパケットに基づいて、前記第１の通信リンクにおいて送信された前記少なくとも１つのタイミングデータパケットの伝送遅延を計算し、
前記信号処理部は、計算された伝送遅延に応じて、前記第１の通信リンクを介する前記少なくとも１つの第２の通信ネットワーク要素への少なくとも１つの送信をスケジューリングする、通信ネットワーク。
【請求項２】
前記信号処理部は、複数の第２の通信ネットワーク要素に送信する際の最長の伝送遅延を計算する、請求項１記載の通信ネットワーク要素。
【請求項３】
前記信号処理部は、前記第１の通信リンク及び前記第２の通信リンクの少なくとも１つにおける少なくとも１つのタイミングデータパケットに、第１の送信タイムスタンプ（T1）を付加する、請求項１又は２に記載の通信ネットワーク要素。
【請求項４】
前記少なくとも１つの第２の通信ネットワーク要素は、タイミング信号を受信した時点を示す受信タイムスタンプ（T2）を付加し、タイミングデータパケットを当該第１の通信ネットワーク要素に送信する場合に、第2のタイムスタンプ（T3）を付加する、請求項３記載の通信ネットワーク要素。
【請求項５】
前記第１及び第２の通信リンクを介した各自の送信信号に応じて、前記信号処理部は、前記第２の通信リンクを介して前記少なくとも１つの第２の通信ネットワーク要素から、前記２つのタイミング信号を受信する、請求項１ないし４の何れか１項に記載の通信ネットワーク要素。
【請求項６】
前記信号処理部による、前記少なくとも１つのタイミングデータパケットの伝送遅延の計算は、前記第１の通信リンク及び前記第２の通信リンクを介する前記少なくとも１つのタイミングデータパケットのラウンドトリップ時間を計算することを含む、請求項１ないし５の何れか１項に記載の通信ネットワーク要素。
【請求項７】
前記第１の通信リンクは、一方向のユニキャストリンクである、請求項１ないし６の何れか１項に記載の通信ネットワーク要素。
【請求項８】
前記第２の通信リンクが双方向リンクであり、前記信号処理部は、前記第１の通信リンク及びを介して送信され前記第２の通信リンクを介して返された少なくとも１つのタイミングデータパケットについて計算されたラウンドトリップ時間から、前記第２の通信リンクを介する少なくとも１つのタイミングデータパケットについて計算されたラウンドトリップ時間の半分を減算することで、前記第１の通信リンクを介する少なくとも１つのタイミングデータパケットの伝送遅延を算出する、請求項７記載の通信ネットワーク要素。
【請求項９】
当該第１の通信ネットワーク要素は、マルチキャスト配信を利用するフォワードアクセスチャネル（FACH）フレームプロトコルによる通信をサポートする、請求項１ないし８の何れか１項に記載の通信ネットワーク要素。
【請求項１０】
当該第１の通信ネットワーク要素は、
ソフトコンバイニングを行うマルチメディアブロードキャストマルチメディアサービス（MBMS）、
単一周波数ネットワークによるMBMS（MBSFN）、
衛星通信リンクによるIub通信、及び
地上通信リンクによるIub通信
の内の少なくとも１つを介して、第３世代パートナーシッププロジェクト（3GPP）セルラ通信ネットワークにおける通信をサポートする、請求項１ないし９の何れか１項に記載の通信ネットワーク要素。
【請求項１１】
当該通信ネットワーク要素が、ダウンリンクノード同期メッセージを、前記第１及び第２の通信リンクの内の少なくとも１つを介して送信し、該ダウンリンクノード同期メッセージに応じて、当該通信ネットワーク要素が、ULノード同期メッセージを、前記第２の通信リンクを介して送信する、請求項１０記載の通信ネットワーク要素。
【請求項１２】
第１の通信ネットワーク要素を有する通信システムであって、前記第１の通信ネットワーク要素は、
第１の通信リンク及び第２の通信リンク双方を介して少なくとも１つの第２の通信ネットワーク要素に対して、少なくとも１つのタイミングデータパケットを送信する送信部と、
前記第２の通信リンクを介して前記少なくとも１つの第２の通信ネットワーク要素から、２つのタイミングデータパケットを受信する受信部であって、前記２つのタイミングデータパケットの内の少なくとも１つは前記第１の通信リンクを介して送信されたタイミングデータパケットに対応している、受信部と、
前記送信部及び受信部に動作可能に結合された信号処理部と
を有し、前記信号処理部は、前記第２の通信リンクを介して少なくとも１つの第２の通信ネットワーク要素から受信した前記２つのタイミングデータパケットに基づいて、前記第１の通信リンクにおいて送信された前記少なくとも１つのタイミングデータパケットの伝送遅延を計算し、
前記信号処理部は、計算された伝送遅延に応じて、前記第１の通信リンクを介する前記少なくとも１つの第２の通信ネットワーク要素への少なくとも１つの送信をスケジューリングする、通信システム。
【請求項１３】
第１の通信ネットワーク要素により、マルチキャスト送信のタイミングを決定する方法であって、
第１の通信リンク及び第２の通信リンク双方を介して少なくとも１つの第２の通信ネットワーク要素に対して、少なくとも１つのタイミングデータパケットを送信するステップと、
前記第２の通信リンクを介して前記少なくとも１つの第２の通信ネットワーク要素から、２つのタイミングデータパケットを受信するステップであって、前記２つのタイミングデータパケットの少なくとも１つは、前記第１の通信リンクを介して送信されたタイミングデータパケットに対応している、ステップと、
前記第２の通信リンクを介して受信した前記２つのタイミングデータパケットに基づいて、前記第１の通信リンクにおける前記少なくとも１つの送信されたタイミングデータパケットの伝送遅延を計算するステップと、
計算された前記伝送遅延に応じて、前記第１の通信リンクを介する前記少なくとも１つの第２の通信ネットワーク要素への少なくとも１つの送信をスケジューリングするステップを有する方法。
【請求項１４】
マルチキャスト送信のタイミングを決定する方法を第１の通信ネットワーク要素に実行させる信号プロセッサであって、前記方法は
第１の通信リンク及び第２の通信リンク双方を介して少なくとも１つの第２の通信ネットワーク要素に対して、少なくとも１つのタイミングデータパケットを送信するステップと、
前記第２の通信リンクを介して前記少なくとも１つの第２の通信ネットワーク要素から、２つのタイミングデータパケットを受信するステップであって、前記２つのタイミングデータパケットの内の少なくとも１つは前記第１の通信リンクを介して送信されたタイミングデータパケットに対応している、ステップと、
前記第２の通信リンクを介して受信した少なくとも前記２つのタイミングデータパケットに基づいて、前記第１の通信リンクにおいて送信された前記少なくとも１つのタイミングデータパケットの伝送遅延を計算するステップと、
計算された前記伝送遅延に応じて、前記第１の通信リンクを介する前記少なくとも１つの第２の通信ネットワーク要素への少なくとも１つの送信をスケジューリングするステップを有するステップと
を有する、信号プロセッサ。
【請求項１５】
第２の通信ネットワーク要素であって、
第１の通信リンク及び第２の通信リンク双方を介して、第１の通信ネットワーク要素から少なくとも１つのタイミングデータパケットを受信する受信部と、
前記第２の通信リンクを介して当該第２の通信ネットワーク要素から前記第１の通信ネットワーク要素へ２つのタイミングデータパケットを送信する送信部と
を有し、前記２つのデータパケットの内少なくとも１つは前記第１の通信リンクを介して送信されたタイミングデータパケットに対応しており、
前記２つのタイミングデータパケットに基づいて、前記第１の通信リンクにおける前記少なくとも１つのタイミングデータパケットの伝送遅延を計算し、
当該第２の通信ネットワーク要素は、前記第１の通信リンクを介する送信について計算された伝送遅延に基づいて、前記第１の通信ネットワーク要素がスケジューリングした送信信号を前記第１の通信リンクを介して受信する、通信ネットワーク要素。
【手続補正２】
【補正対象書類名】明細書
【補正対象項目名】発明の名称
【補正方法】変更
【補正の内容】
【発明の名称】通信ネットワーク要素、通信システム、タイミング決定方法及び信号プロセッサ
【手続補正３】
【補正対象書類名】明細書
【補正対象項目名】００２６
【補正方法】変更
【補正の内容】
【００２６】
本発明の一形態による通信ネットワーク要素は、
第１の通信ネットワーク要素であって、
第１の通信リンク及び第２の通信リンク双方を介して少なくとも１つの第２の通信ネットワーク要素に対して、少なくとも１つのタイミングデータパケットを送信する送信部と、
前記第２の通信リンクを介して前記少なくとも１つの第２の通信ネットワーク要素から、２つのタイミングデータパケットを受信する受信部であって、前記２つのタイミングデータパケットの内の少なくとも１つは前記第１の通信リンクを介して送信されたタイミングデータパケットに対応している、受信部と、
前記送信部及び受信部に動作可能に結合された信号処理部と
を有し、前記信号処理部は、前記第２の通信リンクを介して受信した前記２つのタイミングデータパケットに基づいて、前記第１の通信リンクにおいて送信された前記少なくとも１つのタイミングデータパケットの伝送遅延を計算し、
前記信号処理部は、計算された伝送遅延に応じて、前記第１の通信リンクを介する前記少なくとも１つの第２の通信ネットワーク要素への少なくとも１つの送信をスケジューリングする、通信ネットワークである。